(57)【要約】【課題】開閉式の側板を備えた組み立てボックスにおいて、埃などの異物が外部から侵入することを抑制する。【解決手段】組み立てボックスは、底板１と、底板１の周縁部に立設される複数の側板２と、複数の側板２の上に載せられる蓋３を備える。複数の側板２は、開閉式の側板２Ａを含む。開閉式の側板２Ａは、閉状態において上下に並ぶ一対の板材５，６と、一対の板材５，６を回転自在に連結させる少なくとも一つの蝶番７と、一対の板材５，６に跨って固定される目隠しシート８を備える。目隠しシート８は、開閉式の側板２Ａを正面から視たときに、蝶番７とは重ならない位置にある。【選択図】図１
2019142529.tif 000002
【特許請求の範囲】
【請求項１】
底板と、
前記底板の周縁部に立設される複数の側板と、
前記複数の側板の上に載せられる蓋と、を備え、
前記複数の側板は、開閉式の側板を含み、
前記開閉式の側板は、
閉状態において上下に並ぶ一対の板材と、
前記一対の板材を回転自在に連結させる少なくとも一つの蝶番と、
前記一対の板材に跨って固定される目隠しシートと、を備え、
前記目隠しシートは、前記開閉式の側板を正面から視たときに、前記少なくとも一つの蝶番とは重ならない位置に設けられている
ことを特徴とする組み立てボックス。
【請求項２】
底板と、
前記底板の周縁部に立設される複数の側板と、
前記複数の側板の上に載せられる蓋と、を備え、
前記複数の側板は、開閉式の側板を含み、
前記開閉式の側板は、
閉状態において上下に並ぶ一対の板材と、
前記一対の板材を回転自在に連結させる少なくとも一つの蝶番と、
前記一対の板材に跨って固定される目隠しシートと、を備え、
前記少なくとも一つの蝶番は、前記目隠しシートの一部を介して、前記一対の板材に固定されている
ことを特徴とする組み立てボックス。
【請求項３】
前記少なくとも一つの蝶番は、
前記開閉式の側板を正面から視たときに、左右の両端部に位置する二つの蝶番を含み、
前記目隠しシートは、前記二つの蝶番の間に位置する
ことを特徴とする請求項１又は２に記載の組み立てボックス。
【発明の詳細な説明】
【技術分野】
【０００１】
本発明は、組み立てボックスに関する。
【背景技術】
【０００２】
側板の一部が開閉自在に設けられた組み立てボックスが、従来知られている（特許文献１等参照）。
【０００３】
この種の組み立てボックスでは、側板が上下一対の板材で形成されており、上下一対の板材が、蝶番を介して回転自在に連結されている。使用者は、上下一対の板材のうち一方の板材（取出扉）を回転させ、内容物の出し入れを行うことができる。
【先行技術文献】
【特許文献】
【０００４】
【特許文献１】実公平７−４４５９４号公報
【発明の概要】
【発明が解決しようとする課題】
【０００５】
上記した組み立てボックスでは、寸法公差等を原因として、上下一対の板材の間に隙間を生じる場合があり、この隙間を通じて、埃などの異物が外部から侵入するおそれがあった。
【０００６】
本発明が解決しようとする課題は、開閉式の側板を備えた組み立てボックスにおいて、埃などの異物が外部から侵入することを抑制することを、目的とする。
【課題を解決するための手段】
【０００７】
本発明の一態様に係る組み立てボックスは、底板と、前記底板の周縁部に立設される複数の側板と、前記複数の側板の上に載せられる蓋と、を備える。前記複数の側板は、開閉式の側板を含む。前記開閉式の側板は、閉状態において上下に並ぶ一対の板材と、前記一対の板材を回転自在に連結させる少なくとも一つの蝶番と、前記一対の板材に跨って固定される目隠しシートと、を備える。前記目隠しシートは、前記開閉式の側板を正面から視たときに、前記少なくとも一つの蝶番とは重ならない位置に設けられている。
【０００８】
本発明の別態様に係る組み立てボックスは、底板と、前記底板の周縁部に立設される複数の側板と、前記複数の側板の上に載せられる蓋と、を備える。前記複数の側板は、開閉式の側板を含む。前記開閉式の側板は、閉状態において上下に並ぶ一対の板材と、前記一対の板材を回転自在に連結させる少なくとも一つの蝶番と、前記一対の板材に跨って固定される目隠しシートと、を備える。前記少なくとも一つの蝶番は、前記目隠しシートの一部を介して、前記一対の板材に固定されている。
【発明の効果】
【０００９】
本発明は、開閉式の側板を備えた組み立てボックスにおいて、埃などの異物が外部から侵入することが抑制されるという効果を奏する。
【図面の簡単な説明】
【００１０】
【図１】図１は、一実施形態の組み立てボックスにおいて蓋を外した状態を示す斜視図である。
【図２】図２は、同上の組み立てボックスにおいて蓋を載せた状態を示す正面図である。
【図３】図３は、図２のＡ−Ａ線断面図である。
【図４】図４は、同上の組み立てボックスの蓋を載せた状態の側面図である。
【図５】図５は、同上の組み立てボックスにおいて、蓋を外して側板を開状態にしたときの要部側面図である。
【図６】図６は、同上の組み立てボックスにおいて蓋を載せた状態の背面図である。
【図７】図７は、同上の組み立てボックスの折り畳み状態を示す側面図である。
【図８】図８は、同上の組み立てボックスが備えるロック機構の斜視図である。
【図９】図９Ａは、同上のロック機構においてロックピンが没入した状態を示す斜視図であり、図９Ｂは、同上のロック機構においてロックピンの先端部が突出した状態を示す斜視図である。
【図１０】図１０は、同上の組み立てボックスの第一変形例を示す正面図である。
【図１１】図１１は、同上の組み立てボックスの第二変形例の要部を示す斜視図である。
【発明を実施するための形態】
【００１１】
一実施形態の組み立てボックスについて、添付図面に基づいて説明する。
【００１２】
（全体）
図１に示すように、一実施形態の組み立てボックスは、平面視矩形状の外形を有する底板１と、底板１の外形の四辺に沿って起立するように底板１上に組み立てられる四枚の側板２と、平面視矩形状を成すように組み立てられた四枚の側板２に対して上方から被せられる蓋３を備える。
【００１３】
底板１上には、四枚の側板２によって全周を覆われた収納空間Ｓ１が形成される。収納空間Ｓ１は上方に向けて開放され、この開放部分が蓋３で覆われる。以下、各構成について更に詳しく説明する。
【００１４】
（底板）
底板１は、合成樹脂製のベース１２と、ベース１２の上面の周縁部に装着される金属製の枠材１４を備える。ベース１２及び枠材１４の材質と構造は、特に限定されない。ベース１２及び枠材１４は、金属製、合成樹脂製、木製のいずれでもよい。
【００１５】
ベース１２は、周方向に連続する四つの側面１２１を有する。各側面１２１には、二つの貫通口１２５が、水平方向に距離をあけて形成されている。各貫通口１２５は、フォークリフトの爪等が挿入される部分である。ベース１２は、荷物を載せることができればよく、台車であってもよい。
【００１６】
枠材１４は、ベース１２の上面の各角部に装着される平面視Ｌ字状のコーナー金具１４４と、隣接するコーナー金具１４４同士を繋ぐようにベース１２の上面の各辺部に装着される平面視一直線状の金具１４８を備え、全体として矩形枠状に構成されている。
【００１７】
（側板）
四枚の側板２には、開閉式の側板２Ａが一枚含まれ、非開閉式の側板２Ｂが三枚含まれている。開閉式の側板２Ａは、剛性を有する上下一対の板材５，６が、水平軸まわりに回転自在に連結された構造を有する。非開閉式の側板２Ｂは、剛性を有する一枚の板である。
【００１８】
まず、非開閉式の側板２Ｂについて説明する。
【００１９】
三枚の側板２Ｂは、基本的な構造が共通している。以下においては、共通の構造について説明する。
【００２０】
側板２Ｂは、矩形状の中空板材（図示略）と、この中空板材の厚み方向の両側に貼着された鋼板２４を備える。側板２Ｂの周縁部には、金属製の枠体２５が更に固定されている。
【００２１】
側板２Ｂの中空板材は、ハニカム構造を有する合成樹脂製の板材である。鋼板２４と枠体２５は、ともにアルミニウム製である。
【００２２】
側板２Ｂの中空板材の構造は、上記ハニカム構造に限定されず、たとえば、押し出し成形によってハーモニカの穴のように中空部分が一列に形成された構造でもよいし、柱体が多数並設された構造でもよいし、或いは、円錐体等の錐体が多数並設された構造でもよい。
【００２３】
鋼板２４と枠体２５の材質はアルミニウムに限定されず、他の金属でもよい。側板２Ｂが、鋼板２４と枠体２５の少なくとも一方を備えなくてもよい。
【００２４】
三枚の側板２Ｂは、全体で平面視コ字状をなすように、底板１に立設される。三枚の側板２Ｂのうち、互いに平行な姿勢で立設される二枚の側板２Ｂには、もう一枚の側板２Ｂの上角部に対して着脱自在に連結される第一ロック機構２１と、開閉式の側板２Ａの上角部に対して着脱自在に連結される第二ロック機構２２が、固定されている。
【００２５】
互いに平行な二枚の側板２Ｂの各々は、二つの上角部分を有し、一方の上角部分に第一ロック機構２１が固定され、他方の上角部分に第二ロック機構２２が固定されている。第一ロック機構２１と第二ロック機構２２の構造は、後述のロック機構４と大部分が共通なので、ここでは説明を省略する。
【００２６】
次に、開閉式の側板２Ａについて説明する。
【００２７】
開閉式の側板２Ａは、一対の板材５，６と、一対の板材５，６を回転自在に連結させる二つの蝶番７と、一対の板材５，６に跨って固定される目隠しシート８と、下側の板材６を隣接する側板２Ｂに固定するロック機構４を備える。
【００２８】
一対の板材５，６の基本構造は、側板２Ｂと共通である。
【００２９】
つまり、板材５は、矩形状の中空板材５０（図３参照）と、中空板材５０の厚み方向の両側に貼着された鋼板５４を備える。板材５の周縁部には、金属製の枠体５５（図２参照）が更に固定されている。
【００３０】
中空板材５０は、ハニカム構造を有する合成樹脂製の板材であるが、この構造に限定されず、たとえば、押し出し成形によってハーモニカの穴のように中空部分が一列に形成された構造でもよいし、柱体が多数並設された構造でもよいし、或いは、円錐体等の錐体が多数並設された構造でもよい。
【００３１】
鋼板５４と枠体５５の材質はアルミニウムであるが、他の金属でもよい。板材５が、鋼板５４と枠体５５の少なくとも一方を備えなくてもよい。
【００３２】
同様に、板材６は、矩形状の中空板材６０（図３参照）と、中空板材６０の厚み方向の両側に貼着された鋼板６４を有する。板材６の周縁部には、金属製の枠体６５（図２参照）が更に固定されている。
【００３３】
中空板材６０は、ハニカム構造を有する合成樹脂製の板材であるが、この構造に限定されず、たとえば、押し出し成形によってハーモニカの穴のように中空部分が一列に形成された構造でもよいし、柱体が多数並設された構造でもよいし、或いは、円錐体等の錐体が多数並設された構造でもよい。
【００３４】
鋼板６４と枠体６５の材質はアルミニウムであるが、他の金属でもよい。板材６が、鋼板６４と枠体６５の少なくとも一方を備えなくてもよい。
【００３５】
（蝶番）
次に、二つの蝶番７の具体的な構造について説明する。
【００３６】
図２に示すように、側板２Ａを正面から視たときに、二つの蝶番７は左右に距離をあけて位置する。左側の蝶番７は、側板２Ａの左側の端部に位置し、右側の蝶番７は、側板２Ａの右側の端部に位置する。
【００３７】
左右の蝶番７の基本的な構造は同一である。以下において、蝶番７の構造を共通で説明する。
【００３８】
蝶番７は、板材５の下角部に固定される第一固定プレート７５１と、板材６の上角部に固定される第二固定プレート７５２と、第一固定プレート７５１と第二固定プレート７５２を回転自在に連結させる連結部７６を備える。
【００３９】
なお、側板２Ａの説明で用いる上下の方向は、側板２Ａが閉状態にあるときを基準とする。側板２Ａの閉状態において、一対の板材５，６は上下に並び、一対の板材５，６の互いの外側面は面一である。
【００４０】
連結部７６は、第一固定プレート７５１及びこれに結合された板材５と、第二固定プレート７５２及びこれに結合された板材６を、左右に伸びる回転軸まわりに回転自在に連結させる。
【００４１】
連結部７６は、第一固定プレート７５１の下縁部に形成された第一連結軸部７６１と、第二固定プレート７５２の上縁部に形成された第二連結軸部７６２を含む。第一連結軸部７６１と第二連結軸部７６２は、互いに回転自在に連結されている。
【００４２】
第一連結軸部７６１と第二連結軸部７６２が隙間なく連結することで構成された連結部７６は、蝶番７の左右の全長にわたって一直線状に形成されている。連結部７６は、側板２Ａを正面から視たときに、第一固定プレート７５１と第二固定プレート７５２の間の隙間を隠すように位置する。
【００４３】
（目隠しシート）
次に、目隠しシート８の構造と、目隠しシート８を側板２Ａに固定する構造について説明する。
【００４４】
目隠しシート８は、側板２Ａを正面から視たときに、一対の板材５，６間の隙間を覆い隠すように、一対の板材５，６に跨って固定されている（図２、図３等参照）。
【００４５】
一実施形態において、目隠しシート８は、左右の蝶番７の間に位置する一枚のシート材８１で構成されている。シート材８１は、繊維シートの厚み方向の両側に合成樹脂フィルムが積層された、いわゆるターポリンシートである。
【００４６】
シート材８１は、繰り返しの屈曲に耐え得る耐久性を有していればよく、その材質は特に限定されないが、耐久性に加えて防水性、防炎性を有することが更に好ましい。
【００４７】
シート材８１は、板材５の下部に固定される上側部分８１２と、板材６の上部に固定される下側部分８１４を、一体に有する（図３参照）。シート材８１のうち、上側部分８１２と下側部分８１４の間の部分が、一対の板材５，６間の隙間を隠す部分である。
【００４８】
上側部分８１２は、板材５の下部のうち、左右の蝶番７が固定されない部分に、金属製の棒状部材８３と、複数の固定具８４と、長板材８５を介して固定される。
【００４９】
棒状部材８３の材質はアルミニウムであるが、他の材質でもよい。複数の固定具８４の各々はブラインドリベットであるが、他の部材でもよい。長板材８５の材質はポリプロピレン等の合成樹脂であるが、他の材質でもよい。
【００５０】
板材５の下端部には、断面コ字状のフレーム５７が固定されている。フレーム５７は、金属製の枠体５５の一部である。
【００５１】
フレーム５７は、板材５の下端部の外側面を覆う第一長板５７１と、板材５の下端部の下面を覆う第二長板５７２と、板材５の下端部の内側面を覆う第三長板５７３を、一体に有する。第一長板５７１と第二長板５７２と第三長板５７３は、コ字状に連続している。板材６に対する板材５の回転動作をより円滑にするため、第一長板５７１と第二長板５７２がＬ字状に連結する部分の外面に、面取りが施されていてもよい。
【００５２】
長板材８５は、板材５の外側面に当てられる段差解消用の板材である。長板材８５は、第一長板５７１から上方に連続するように位置する。長板材８５と第一長板５７１の互いの外側面は、面一に設けられている。
【００５３】
シート材８１の上側部分８１２は、第一長板５７１と長板材８５を覆い隠すように、棒状部材８３と複数の固定具８４を介して、板材５の外側面に固定される。
【００５４】
棒状部材８３は、長板材８５との間でシート材８１の上側部分８１２を挟み込むように、シート材８１の上側部分８１２の外側面に当てられる。シート材８１の上側部分８１２は、棒状部材８３よりも上方にはみ出すことのないように配されることが好ましい。また、シート材８１の上側部分８１２は、長板材８５よりも上方にはみ出すことのないように配されることが好ましい。
【００５５】
この状態で、棒状部材８３、シート材８１及び長板材８５を貫いて、板材５の内部にまで突入するように固定具８４が打ち込まれている。
【００５６】
固定具８４は、頭部８４１と座屈部８４３を有するブラインドリベットである。頭部８４１は、棒状部材８３の外側方に位置する。座屈部８４３は、中空板材５０の内部空間で、径方向に拡がっている。
【００５７】
固定具８４は、頭部８４１と座屈部８４３の間で、棒状部材８３と、シート材８１の上側部分８１２と、長板材８５を挟み込んで固定する。
【００５８】
なお、棒状部材８３と長板材８５の一方または両方を介さずに、シート材８を板材５に固定することも可能である。
【００５９】
たとえば、棒状部材８３を備えることなく、シート材８１の上側部分８１２に対して複数の固定具８４を打ち込み、シート材８１の上側部分８１２と長板材８５を、板材５の外側面に固定することも可能である。
【００６０】
また、長板材８５を備えることなく、棒状部材８３と板材５の間にシート材８１の上側部分８１２を挟み込み、複数の固定具８４でこれらを固定することも可能である。シート材８１を、フレーム５７の第一長板５７１と棒状部材８３の間に挟み込み、複数の固定具８４でこれらを固定することも可能である。
【００６１】
また、棒状部材８３と長板材８５をともに備えず、フレーム５７の第一長板５７１を貫くように、シート材８１に対して複数の固定具８４を直接的に打ち込むことも可能であるし、複数の固定具８４を用いてシート材８１を板材５の外側面（鋼板５４の表面）に直接固定することも可能である。
【００６２】
シート材８１の下側部分８１４を板材６に固定する構造は、上側部分８１２を板材５に固定する上記構造と、同様である。上側部分８１２を板材５に固定する構造と、下側部分８１４を板材６に固定する構造は、上下の板材５，６間の隙間を中心として、互いに上下対称な構造である。
【００６３】
つまり、下側部分８１４は、板材６の上部のうち、左右の蝶番７が固定されない部分に、金属製の棒状部材８７と、複数の固定具８８と、長板材８９を介して固定される。
【００６４】
棒状部材８７の材質はアルミニウムであるが、他の材質でもよい。複数の固定具８８の各々はブラインドリベットであるが、他の部材でもよい。長板材８９の材質はポリプロピレン等の合成樹脂であるが、他の材質でもよい。
【００６５】
板材６の上端部には、断面コ字状のフレーム６７が固定されている。フレーム６７は、金属製の枠体６５の一部である。
【００６６】
フレーム６７は、板材６の上端部の外側面を覆う第一長板６７１と、板材６の上端部の上面を覆う第二長板６７２と、板材６の上端部の内側面を覆う第三長板６７３を、一体に有する。第一長板６７１と第二長板６７２と第三長板６７３は、コ字状に連続している。板材６に対する板材５の回転動作をより円滑にするため、第一長板６７１と第二長板６７２がＬ字型に連結する部分の外面に、面取りが施されていてもよい。
【００６７】
長板材８９は、板材６の外側面に当てられる段差解消用の板材である。長板材８９は、第一長板６７１から下方に連続するように位置する。長板材８９と第一長板６７１の互いの外側面は、面一に設けられている。
【００６８】
シート材８１の下側部分８１４は、第一長板６７１と長板材８９を覆い隠すように、棒状部材８７と複数の固定具８８を介して、板材６の外側面に固定される。
【００６９】
棒状部材８７は、長板材８９との間でシート材８１の下側部分８１４を挟み込むように、シート材８１の下側部分８１４の外側面に当てられる。シート材８１の下側部分８１４は、棒状部材８７よりも下方にはみ出すことのないように配されることが好ましい。また、シート材８１の下側部分８１４は、長板材８９よりも下方にはみ出すことのないように配されることが好ましい。
【００７０】
この状態で、棒状部材８７、シート材８１及び長板材８９を貫いて、板材６の内部に突入するように固定具８８が打ち込まれている。
【００７１】
固定具８８は、頭部８８１と座屈部８８３を有するブラインドリベットである。頭部８８１は、棒状部材８７の外側方に位置する。座屈部８８３は、中空板材６０の内部空間で、径方向に拡がっている。固定具８８は、頭部８８１と座屈部８８３の間で、棒状部材８７と、シート材８１の下側部分８１４と、長板材８９を挟み込んで固定する。
【００７２】
なお、棒状部材８７と長板材８９の一方または両方を介さずに、シート材８１を板材６に固定することも可能である。
【００７３】
たとえば、棒状部材８７を備えることなく、シート材８１の下側部分８１４に対して複数の固定具８８を打ち込み、シート材８１の下側部分８１４と長板材８９を、板材６の外側面に固定することも可能である。
【００７４】
長板材８９を備えることなく、棒状部材８７と板材６の間にシート材８１の下側部分８１４を挟み込み、複数の固定具８８でこれらを固定することも可能である。シート材８１を、フレーム６７の第一長板６７１と棒状部材８７の間に挟み込み、複数の固定具８８でこれらを固定することも可能である。
【００７５】
また、棒状部材８７と長板材８９をともに備えず、フレーム６７の第一長板６７１を貫くように、シート材８１に対して複数の固定具８８を直接的に打ち込むことも可能であるし、複数の固定具８８を用いてシート材８１を板材６の外側面（鋼板６４の表面）に直接固定することも可能である。
【００７６】
以上の構造で一対の板材５，６に固定されたシート材８１は、左右の蝶番７とは重ならない位置にある。側板２Ａにおいて、シート材８１とこれの両側に位置する蝶番７は、左右に一直線状に位置する。
【００７７】
側板２Ａを正面から視たときに、一対の板材５，６間の隙間は、シート材８１と左右の蝶番７によって隠される（図２参照）。
【００７８】
一実施形態の組み立てボックスにおいて、一対の板材５，６間の隙間は、各部材の寸法公差、経年変化等を原因として生じる隙間であるが、これに限定されず、設計された通りのクリアランスである場合も含まれる。
【００７９】
また、一対の板材５，６間の隙間は、通常時に形成される隙間に限定されない。つまり、通常時は一対の板材５，６の端縁同士が接触した状態にあり、外力により側板２Ａが変形したとき（一例として輸送中の振動で側板２Ａが変形したとき）や、側板２Ａが開閉動作したときに一対の板材５，６間に隙間が生じることも含まれる。
【００８０】
したがって、一実施形態の組み立てボックスにおいては、埃などの異物が収納空間Ｓ１に侵入することが効果的に抑えられる。また、一実施形態の組み立てボックスでは、収納空間Ｓ１に収納された内容物（図示略）が外部から視認されることが、効果的に抑えられる。
【００８１】
加えて、一実施形態の組み立てボックスでは、側板２Ａを正面から視たときに、目隠しシート８（つまりシート材８１）は左右の蝶番７とは重ならない位置にあるので、目隠しシート８と左右の蝶番７が接触することは避けられる。そのため、側板２Ａの開閉動作に伴って目隠しシート８が左右の蝶番７に押し込まれて変形することや、目隠しシート８が左右の蝶番７に噛み込まれて破損することが抑えられる。
【００８２】
（ロック機構）
次に、ロック機構４の具体的な構造について説明する。
【００８３】
ロックピン４１を出し入れ自在に備えるロック機構４は、板材６の左右の上角部分に、それぞれ固定されている。左右のロック機構４は互いに線対称な構造であるが、基本的な構造は共通である。図８と図９には、左側のロック機構４を示している。
【００８４】
ロック機構４は、蝶番７の第二固定プレート７５２と一体に設けられた箱型の外ケース４２と、外ケース４２内に収納された内ケース４３を備える。外ケース４２を第二固定プレート７５２とは別体に設けることも可能である。
【００８５】
外ケース４２には、操作窓４２２が設けられている。操作窓４２２は、内ケース４３の一部を露出させるように、外側方に向けて開口している。
【００８６】
内ケース４３には、ロックピン４１と、ロックピン４１に対して付勢力を与えるスプリング（図示略）が収納されている。ロックピン４１は、左右にスライド自在に収容されている。スプリングがロックピン４１に与える付勢力は、ロックピン４１をその軸方向（左右方向）に沿って外側に押し出す付勢力である。
【００８７】
ロックピン４１には、その軸方向と交差する方向（一実施形態では直交する方向）に突出するように、円柱状の操作バー４１５が一体に設けられている。
【００８８】
内ケース４３には、操作バー４１５を内ケース４３の外側方に突出させる貫通溝４４が形成されている。
【００８９】
貫通溝４４は、左右に長く形成されたスライド溝４４０と、スライド溝４４０の左右の第一端部から延長された形状の第一係止溝４４１と、スライド溝４４０の左右の第二端部から延長された形状の第二係止溝４４２を含む。
【００９０】
操作バー４１５は、外側方に突出した姿勢にあるときに、スライド溝４４０を左右にスライド移動することができる。
【００９１】
操作バー４１５が、スプリングの付勢力を受けてスライド溝４４０の第一端部に当たると、その付勢力によって、操作バー４１５は第一係止溝４４１に導入される。
【００９２】
第一係止溝４４１と第二係止溝４４２はともに、下方に向けて開口している。第一係止溝４４１と第二係止溝４４２はそれぞれ、操作バー４１５が下方に突出した姿勢で引っ掛かるように構成されている。
【００９３】
上記したロック機構４を用い、以下のような手順で、側板２Ａの下半部を構成する板材６を、これと隣接する側板２Ｂに対して着脱自在に固定することができる。
【００９４】
図９Ａには、ロックピン４１が外ケース４２に没入した状態を示している。この状態において、操作バー４１５は、下方に突出した姿勢で、第二係止溝４４２に係止されている。
【００９５】
ここで、操作バー４１５に指を掛け、水平な姿勢となるまで引き上げると（図９Ａ中の矢印Ｒ１参照）、操作バー４１５は第二係止溝４４２を脱出してスライド溝４４０に至る。操作バー４１５がスライド溝４４０に至ると、操作バー４１５は、スプリングの付勢力によって、スライド溝４４０を左右方向に沿って外側にスライド移動する（図９Ｂ中の矢印Ｒ２参照）。
【００９６】
上述したように、操作バー４１５がスライド溝４４０の第一端部に当たると、スプリングの付勢力によって、操作バー４１５は第一係止溝４４１に導入される（図９Ｂ中の矢印Ｒ３参照）。
【００９７】
つまり、図９Ａに示す状態から操作バー４１５を指で跳ね上げるだけで、操作バー４１５は、第二係止溝４４２からスライド溝４４０を通じて第一係止溝４４１にまで自動的に移動する。移動後の操作バー４１５は、下方に突出した姿勢で、第一係止溝４４１に引っ掛かった状態を維持する。ロックピン４１の先端部は、外ケース４２から突出した状態を維持する。このとき、操作バー４１５は、外ケース４２の内側に収容されている。
【００９８】
ロックピン４１の先端部が外ケース４２から突出すると、ロックピン４１の先端部は、板材６の側端縁から突出し、隣接する側板２Ｂの係止穴（図示略）に嵌り込む。これにより、板材６が側板２Ｂに固定される。
【００９９】
板材６と側板２Ｂの固定を解除する手順は、上記手順とは逆である。
【０１００】
つまり、図９Ｂに示す状態から、操作バー４１５に指を掛けて、水平な姿勢となるまで操作バー４１５を引き上げると、操作バー４１５は第一係止溝４４１を脱出してスライド溝４４０に至る。ここで、更に操作バー４１５を、スライド溝４４０の第二端部にまでスライド移動させ、下方に向けて回転させると、操作バー４１５はスライド溝４４０を脱出して第二係止溝４４２に引っ掛かる。これに伴って、ロックピン４１の先端部は、外ケース４２内に没入する。操作バー４１５は、外ケース４２の内側に収容される。
【０１０１】
一実施形態のロック機構４では、板材６を側板２Ｂに固定している状態と、この固定が解除されている状態の両方において、操作バー４１５は、下方に突出する姿勢で、外ケース４２に収容されている。そのため、操作バー４１５が邪魔になることが避けられる。
【０１０２】
たとえば、下側の板材６を両側の側板２Ｂに固定したうえで、扉部分である上側の板材５を外側方に回転させ（図５の矢印参照）、側板２Ａを開状態にしたときに、操作バー４１５が板材５に当たって邪魔になることが避けられる。なお、図５では第二ロック機構２２の図示を省略している。
【０１０３】
ここで、側板２Ｂの第一ロック機構２１と第二ロック機構２２について説明する。
【０１０４】
上述したように、第一ロック機構２１と第二ロック機構２２の基本的な構造は、ロック機構４と共通である。但し、第一ロック機構２１と第二ロック機構２２は、上記のロック機構４に加えて、Ｌ字型の可動片２７を備えている（図１参照）。可動片２７は、外ケース４２に対して、所定範囲内で回転自在に装着されている。可動片２７には、貫通孔２７５が設けられている。
【０１０５】
第一ロック機構２１においては、隣接する側板２Ｂの上角部を可動片２７で保持し、外ケース４２からロックピン４１の先端部を突出させる。ロックピン４１の先端部が、隣接する側板２Ｂの上角部の貫通孔（図示略）と、可動片２７の貫通孔２７５に挿通することで、互いに隣接する側板２Ｂの上角部同士が固定される。
【０１０６】
第二ロック機構２２においては、隣接する側板２Ａの上角部（つまり板材５の上角部）を可動片２７で保持し、外ケース４２からロックピン４１の先端部を突出させる。ロックピン４１の先端部が、側板２Ａの上角部の貫通孔（図示略）と、可動片２７の貫通孔２７５に挿通することで、側板２Ｂの上角部と側板２Ａの上角部が固定される。
【０１０７】
（蓋）
図１等に示すように、蓋３は、一対の蓋板３１で構成されている。蓋３は、一対の蓋板３１が互いの端縁部を突き合わせ、この状態で互いの端縁部が係合することで、一枚の蓋のように機能する。
【０１０８】
一対の蓋板３１の互いの端縁部は、着脱自在に係合する。一方の蓋板３１の端縁部は、上方に折れ曲がったＬ字型（鉤型）の端縁部であり、他方の蓋板３１は、下方に折れ曲がったＬ字型（鉤型）の端縁部であり、一方の蓋板３１の端縁部に対して他方の蓋板３１の端縁部が上方から重なることで、一対の蓋板３１の端縁部同士が着脱自在に係合する。
【０１０９】
蓋板３１の基本的な構造は、側板２Ａ（板材５，６）や側板２Ｂの構造と同様である。
【０１１０】
つまり、蓋板３１は、矩形状の中空板材（図示略）と、この中空板材の厚み方向の両側に貼着された鋼板３１４を備える。蓋板３１の周縁部には、金属製の枠体３１５が更に固定されている。
【０１１１】
蓋板３１が備える中空板材の構造と材質は、側板２Ａ（板材５，６）や側板２Ｂの中空板材と同様である。鋼板３１４の材質は、鋼板２４，５４，６４の材質と同様であり、枠体３１５の材質は、枠体２５，５５，６５の材質と同様である。
【０１１２】
一対の蓋板３１のうち、側板２Ａに近い側の蓋板３１においては、枠体３１５に一対の固定ベルト３１７が取り付けられている。一対の固定ベルト３１７は、それぞれ面ファスナのループ面とフック面を有する。側板２Ｂの外側面には、固定ベルト３１７と一対一で対応する個所に、横片状の引掛部２８が設けられている。固定ベルト３１７を引掛部２８に引っ掛けて折り返し、自身のループ面とフック面を係合させることで、この側板２Ｂに対して蓋板３１を着脱自在に固定することができる。
【０１１３】
同様に、底板１が備える枠材１４の外側面には、固定ベルト３１７と一対一で対応する個所に、固定ベルト３１７が引っ掛かることのできる横片状の引掛部１８が設けられている。底板１上に側板２Ｂが組み立てられた状態において、底板１の引掛部１８は、側板２Ｂの引掛部２８の下方に位置する。
【０１１４】
一対の蓋板３１のうち、側板２Ａから離れた側の蓋板３１においては、枠体３１５に固定ベルト３１８が一本取り付けられている。固定ベルト３１８は面ファスナのループ面とフック面を有する。コ字状に連結される三枚の側板２Ｂのうち、真ん中の側板２Ｂの外側面には、固定ベルト３１８と一対一で対応する個所に、横片状の引掛部２９が設けられている（図６参照）。固定ベルト３１８を引掛部２９に引っ掛けて折り返し、自身のループ面とフック面を係合させることで、この側板２Ｂに対して蓋板３１を着脱自在に固定することができる。
【０１１５】
同様に、底板１が備える枠材１４の外側面には、固定ベルト３１８と一対一で対応する個所に、固定ベルト３１８が引っ掛かることのできる横片状の引掛部１９が設けられている。底板１上に側板２Ｂが組み立てられた状態において、底板１の引掛部１９は、側板２Ｂの引掛部２９の下方に位置する。
【０１１６】
（折り畳み状態）
図７には、一実施形態の組み立てボックスの折り畳み状態を示している。この状態において、四枚の側板２は、底板１の上に積み重ねられている。蓋３を構成する一対の蓋板３１は、互いの端縁部が係合した状態で、底板１の枠材１４の上に載せられている。
【０１１７】
このとき、一方の蓋板３１に取り付けられた各固定ベルト３１７を、底板１の対応する引掛部１８に引っ掛けて折り返し、自身のループ面とフック面を係合させることで、この蓋板３１を底板１に対して着脱自在に固定することができる。
【０１１８】
同様に、他方の蓋板３１に取り付けられた固定ベルト３１８（図６参照）を、底板１の対応する引掛部１９に引っ掛けて折り返し、自身のループ面とフック面を係合させることで、この蓋板３１を底板１に対して着脱自在に固定することができる。
【０１１９】
（変形例）
上記した一実施形態の組み立てボックスでは、二つの蝶番７を左右の両端部に備え、左右の蝶番７の間に位置するように一枚のシート材８１を備えているが、蝶番７とシート材８１の数及び配置は、これに限定されない。
【０１２０】
一例として、左右の蝶番７の間に複数枚のシート材８１が設けられてもよい。この場合、複数枚のシート材８１を、互いの端部同士が重なるように（隣接するシート材８１間に隙間を生じないように）左右に並設し、これら複数枚のシート材８１で目隠しシート８を構成することが好ましい。
【０１２１】
また、蝶番７が、側板２Ａの左右方向の中央部に一つ設けられ、この蝶番７の左右両側に位置するように、シート材８１が複数枚設けられることも有り得る。この場合も、複数枚のシート材８１で目隠しシート８が構成される。
【０１２２】
また、蝶番７が、側板２Ａの左右方向の両端部と中央部に設けられ、左右に並んだ三つの蝶番７の間に位置するように、シート材８１が複数枚設けられることも有り得る。この場合も、複数枚のシート材８１で目隠しシート８が構成される。左右に離れて位置する三枚以上のシート材８１で目隠しシート８が構成されることも有り得る。
【０１２３】
また、上記した一実施形態の組み立てボックスでは、蝶番７とは重ならないように目隠しシート８を設けているが、図１０に示す第一変形例のように、左右の蝶番７を、目隠しシート８の左右の両端部（つまりシート材８１の左右の端部８１６）を介して側板２Ａに固定することも好ましい。
【０１２４】
第一変形例では、左右の蝶番７のそれぞれにおいて、第一固定プレート７５１が、シート材８１の端部８１６の上側半部を介して板材５に固定され、第二固定プレート７５２が、シート材８１の端部８１６の下側半部を介して板材６に固定されている。
【０１２５】
第一変形例においては、目隠しシート８と左右の蝶番７が接触するものの、目隠しシート８のうち左右の蝶番７と接触する部分（つまりシート材８１の両端部８１６）は、蝶番７と側板２Ａの間で固定されている。そのため、目隠しシート８が蝶番７によって外側方に押し込まれて変形、破損することが抑えられる。
【０１２６】
第一変形例では、左右の蝶番７の両方が、目隠しシート８の一部を介して側板２Ａに固定されているが、左右の蝶番７のうち一つの蝶番７が、目隠しシート８の一部を介して側板２Ａに固定され、もう一つの蝶番７が、目隠しシート８とは重ならないように側板２Ａに固定されてもよい。
【０１２７】
また、第一変形例では、二つの蝶番７を左右の両端部に備え、左右の蝶番７の間に位置するように一枚のシート材８１を備えているが、この変形例においても、蝶番７とシート材８１の数及び配置はこれに限定されず、多様な形態が採用可能である。
【０１２８】
図１１には、一実施形態の組み立てボックスの第二変形例を示している。第二変形例では、着脱自在な中間棚９を更に備えている。
【０１２９】
中間棚９は、平面視矩形状の棚板９１と、棚板９１に取り付けられた複数本のベルト９２と、複数本のベルト９２のそれぞれの先端部に固定されたフック９３を備える。図示の変形例では、棚板９１が有する一つの端縁部に複数本（二本）のベルト９２が取り付けられ、この端縁部と平行な別の端縁部に、更に複数本（二本）のベルト９２が取り付けられている。
【０１３０】
第二変形例では、複数のフック９３を、これらに対応する側板２Ｂの上縁に引っ掛けてセットすることで、棚板９１の上に内容物を収容することが可能になる。この場合、側板２Ａのうち下半部の板材６は、隣接する側板２Ｂに固定し、上半部の板材５だけを外側方に回転させて開状態とすれば、棚板９１上の内容物だけを簡単に取り出すことができ、また、棚板９１上にだけ内容物を収容することができる。
【０１３１】
（態様）
上記した一実施形態の組み立てボックスとこれの変形例の説明から理解されるように、第一の態様に係る組み立てボックスは、下記の構成を備える。
【０１３２】
つまり、第一の態様に係る組み立てボックスは、底板（１）と、底板（１）の周縁部に立設される複数の側板（２）と、複数の側板（２）の上に載せられる蓋（３）を備える。複数の側板（２）は、開閉式の側板（２Ａ）を含む。開閉式の側板（２Ａ）は、閉状態において上下に並ぶ一対の板材（５，６）と、一対の板材（５，６）を回転自在に連結させる少なくとも一つの蝶番（７）と、一対の板材（５，６）に跨って固定される目隠しシート（８）を備える。目隠しシート（８）は、開閉式の側板（２Ａ）を正面から視たときに、前記した少なくとも一つの蝶番（７）とは重ならない位置に設けられている。
【０１３３】
したがって、第一の態様に係る組み立てボックスによれば、開閉式の側板（２Ａ）を備える組み立てボックスにおいて、埃などの異物が外部から侵入することが、目隠しシート（８）の存在によって効果的に抑制される。加えて、第一の態様に係る組み立てボックスによれば、目隠しシート（８）と蝶番（７）の接触が避けられるので、繰り返しの使用によって目隠しシート（８）が劣化、破損することが抑えられる。
【０１３４】
上記した一実施形態の組み立てボックスとこれの変形例の説明から理解されるように、第二の態様に係る組み立てボックスは、下記の構成を備える。
【０１３５】
つまり、第二の態様に係る組み立てボックスは、底板（１）と、底板（１）の周縁部に立設される複数の側板（２）と、複数の側板（２）の上に載せられる蓋（３）を備える。複数の側板（２）は、開閉式の側板（２Ａ）を含む。開閉式の側板（２Ａ）は、閉状態において上下に並ぶ一対の板材（５，６）と、一対の板材（５，６）を回転自在に連結させる少なくとも一つの蝶番（７）と、一対の板材（５，６）に跨って固定される目隠しシート（８）を備える。前記した少なくとも一つの蝶番（７）は、目隠しシート（８）の一部を介して、一対の板材（５，６）に固定されている。
【０１３６】
したがって、第二の態様に係る組み立てボックスによれば、開閉式の側板（２Ａ）を備える組み立てボックスにおいて、埃などの異物が外部から侵入することが、目隠しシート（８）の存在によって効果的に抑制される。加えて、第二の態様に係る組み立てボックスによれば、目隠しシート（８）のうち蝶番（７）と接触する部分は、蝶番（７）と側板（２Ａ）の間で固定されるので、目隠しシート（８）が蝶番（７）に押し込まれて変形、破損することが抑えられる。
【０１３７】
また、第三の態様に係る組み立てボックスは、第一又は第二の態様に加えて、下記の構成を備える。
【０１３８】
つまり、第三の態様に係る組み立てボックスにおいて、前記した少なくとも一つの蝶番（７）は、開閉式の側板（２Ａ）を正面から視たときに、左右の両端部に位置する二つの蝶番（７）を含む。目隠しシート（８）は、二つの蝶番（７）の間に位置する。
【０１３９】
したがって、第三の態様に係る組み立てボックスによれば、二つの蝶番（７）によって一対の板材（５，６）を安定的に連結させることができ、且つ、中央の目隠しシート（８）によって異物の侵入を効果的に抑制することができる。
【符号の説明】
【０１４０】
１  底板
２  側板
２Ａ  開閉式の側板
３  蓋
５  板材
６  板材
７  蝶番
８  目隠しシート
【図１】
2019142529.tif 000003
【図２】
2019142529.tif 000004
【図３】
2019142529.tif 000005
【図４】
2019142529.tif 000006
【図５】
2019142529.tif 000007
【図６】
2019142529.tif 000008
【図７】
2019142529.tif 000009
【図８】
2019142529.tif 000010
【図９】
2019142529.tif 000011
【図１０】
2019142529.tif 000012
【図１１】
2019142529.tif 000013